(57)【要約】      （修正有）【課題】複数の竿杆を継構造で連結する釣竿において、各竿杆の連結を解除した状態で持ち運びし易く、釣糸ガイドが破損することのない釣竿を提供する。【解決手段】釣竿１は、元竿杆１０の先端側に順次着脱可能に連結され、釣糸ガイド２５，３５，４５が装着された複数の竿杆２０，３０，４０を有する。前記釣糸ガイドは、元竿杆１０、及び、複数の竿杆２０，３０，４０の各後端縁を一致させた後端基準状態で、各釣糸ガイド２５，３５，４５のリング部分２５ａ，３５ａ，４５ａが互いに軸方向で異なる位置となるように各竿杆に装着されている。【選択図】図１
2020103227.tif 000002
【特許請求の範囲】
【請求項１】
元竿杆の先端側に順次着脱可能に連結され、釣糸ガイドが装着された複数の竿杆を有する釣竿において、
前記釣糸ガイドは、元竿杆、及び、複数の竿杆の各後端縁を一致させた後端基準状態で、前記各釣糸ガイドのリング部分が互いに軸方向で異なる位置となるように各竿杆に装着されていることを特徴とする釣竿。
【請求項２】
前記各竿杆に装着される釣糸ガイドの固定部が互いに軸方向で異なる位置とされていることを特徴とする請求項１に記載の釣竿。
【請求項３】
前記元竿杆には、柔軟性のあるグリップが装着されており、
前記元竿杆に連結される竿杆には、前記釣糸ガイドが前記グリップに当て付く位置に装着されていることを特徴とする請求項１又は２に記載の釣竿。
【発明の詳細な説明】
【技術分野】
【０００１】
本発明は、釣糸ガイドを備えた釣竿に関し、詳細には、複数の竿杆を継構造（並継、インロー継）で連結する釣竿に関する。
【背景技術】
【０００２】
継構造の釣竿は、振出式の釣竿と比較すると、細径化することができ、全体として腰が強い釣竿構造が得られる等の利点がある一方で、釣り場移動時や収容する（仕舞う）際に竿杆同士が接触して傷が付くという欠点がある。そこで、特許文献１には、継構造の釣竿を収容する際に用いられる保護具が開示されている。この保護具は、各竿杆のインロー部分を差し込んで、竿杆同士の接触を避けるように保持するよう構成されている。
【先行技術文献】
【特許文献】
【０００３】
【特許文献１】特開２００７−９７５４４
【発明の概要】
【発明が解決しようとする課題】
【０００４】
上記した保護具は、釣竿と別体として携行されるため、紛失する可能性があり、収容時において重量化してしまう。また、間隔を開けた状態で各竿杆を保持するため、径方向に大径化した状態になり、持ち運びがし難くなる。さらに、従来の継構造の釣竿では、各竿杆を収容する際に、それぞれの竿杆に取着された釣糸ガイドについては十分な配慮がなされていない。通常、釣糸ガイドは、竿杆表面から立ち上げられた湾曲するフレーム及びフレームに保持されるガイドリングを備えており、前記フレーム部分は細いことから、竿杆同士が近接すると、それぞれの釣糸ガイドが接触して破損する可能性がある。
【０００５】
本発明は、上記した問題に着目してなされたものであり、複数の竿杆を継構造で連結する釣竿において、各竿杆の連結を解除した状態で持ち運びし易く、釣糸ガイドが破損することのない釣竿を提供することを目的とする。
【課題を解決するための手段】
【０００６】
上記した目的を達成するために、本発明に係る釣竿は、元竿杆の先端側に順次着脱可能に連結され、釣糸ガイドが装着された複数の竿杆を有しており、前記釣糸ガイドは、元竿杆、及び、複数の竿杆の各後端縁を一致させた後端基準状態で、前記各釣糸ガイドのリング部分が互いに軸方向で異なる位置となるように各竿杆に装着されていることを特徴とする。
【０００７】
上記した構成の釣竿は、各竿杆の後端縁を一致させると、各竿杆に装着されている釣糸ガイドのリング部分が互いに軸方向で異なる位置（重ならない位置）となっているため、収容時に釣糸ガイド同士が干渉することがなく、持ち運びし易くなる。また、各竿杆の釣糸ガイドのリング部分（膨らんでいる部分）同士が接触することがないので、釣糸ガイドの破損等を効果的に防止することができる。
【発明の効果】
【０００８】
本発明によれば、複数の竿杆を継構造で連結する釣竿において、各竿杆の連結を解除した状態で持ち運びし易く、釣糸ガイドが破損することのない釣竿が得られる。
【図面の簡単な説明】
【０００９】
【図１】本発明に係る釣竿の第１の実施形態を示し、全竿杆の後端縁を一致させた後端基準状態を示す図。
【図２】図１に示す釣竿の穂先竿杆の部分縦断面図。
【図３】本発明に係る釣竿の第２の実施形態を示し、全竿杆の後端縁を一致させた後端基準状態を示す図。
【発明を実施するための形態】
【００１０】
図１及び図２は、本発明に係る釣竿の第１の実施形態を示しており、図１は、全竿杆の後端縁を一致させた後端基準状態を示す図、図２は、穂先竿杆の部分断面図である。
本実施形態の釣竿１は、元竿杆１０の先端側に順次着脱可能に連結される３本の竿杆（中竿杆２０，３０、及び、穂先竿杆４０)を備えた４本継構造となっており、各竿杆の先端部には、インロー８０が嵌合固定された継構造（インロー継）を備えている。すなわち、元竿杆１０の先端部１２に固定されたインロー８０には、中竿杆２０の基端部２１が嵌合固定され、中竿杆２０の先端部２２に固定されたインロー８０には、中竿杆３０の基端部３１が嵌合固定され、中竿杆３０の先端部３２に固定されたインロー８０には、穂先竿杆４０の基端部４１が嵌合固定される。このため、インロー８０には、小径側の竿杆の基端部の内周面が嵌入、固定できるように、先端に移行するにしたがって小径化するテーパ面が形成されており、そのようなテーパ面が突出するように、各竿杆の先端部１２，２２，３２に嵌入、固定されている。
【００１１】
前記釣竿１は、元竿杆１０の長さをＬ１、中竿杆２０，３０の長さをＬ２，Ｌ３、穂先竿杆４０の長さをＬ４とした場合、Ｌ１＞Ｌ２≧Ｌ３≧Ｌ４（Ｌ１＞Ｌ２，Ｌ３，Ｌ４）となるように構成されている。前記各竿杆１０，２０，３０，４０は、管状の部材として構成されており、公知のように、強化繊維に合成樹脂を含浸したプリプレグシートを芯金に巻回し、加熱処理することで合成樹脂を硬化し、その後、脱芯することで形成することが可能である。
【００１２】
前記元竿杆１０には、リールが装着されるリールシート１０Ａと、その前後にグリップ（フロントグリップ１０Ｂ，リアグリップ１０Ｃ）が設けられている。前記リールシート１０Ａには、トリガー１０ａが形成されている。また、前記グリップ１０Ｂ，１０Ｃは、軽量化が図れると共に握り心地が良好な材料、例えば、ＥＶＡ等の柔軟性を有する発泡材やコルク等によって形成されている。
【００１３】
前記竿杆２０，３０，４０には、それぞれリールシート１０Ａに固定されたリールから繰り出される釣糸を挿通させる釣糸ガイドが装着されている。具体的には、竿杆２０には、１つの釣糸ガイド２５が装着され、竿杆３０には、３つの釣糸ガイド３５が装着され、穂先竿杆４０には、５つの釣糸ガイド４５が装着されている。なお、穂先竿杆４０には、先端に穂先ガイド４６が装着されている。
【００１４】
前記釣糸ガイド２５，３５，４５は、金属や繊維強化樹脂で形成されたフレーム構造を備えており、実際に釣糸が挿通される部分（リング部分と称する）２５ａ，３５ａ，４５ａには、耐摩耗性に優れた硬質材料、例えば、シリコンカーバイト（ＳｉＣ）、アルミナオキサイト、タングステンカーバイト等のセラミックス材料、ＳＵＳ，チタン等の金属材料で形成されたリング状の部材（リング部材）が圧入、固定されている。また、釣糸ガイドを構成するフレームには、竿杆に載置されるように、軸長方向に延びる脚部（図２では、穂先竿杆に装着される釣糸ガイド４５の脚部４５ｂが示されている）が一体形成されており、この脚部が各竿杆の表面に載置され、竿杆の表面に対して固定糸５１を巻回（糸止め）したり、接着等することで固定されている（釣糸ガイドを竿杆に対して固定する固定部を符号５０で示してある）。この場合、フレームと一体形成される脚部については、片足タイプ、両足タイプ等があるが、本発明では、釣糸ガイドのフレーム構造、脚部の構造、及び、固定の方法（固定部の構造）については、限定されることはなく、様々な形態のものを用いることが可能である。
【００１５】
前記釣糸ガイド２５，３５，４５を竿杆に装着するに際しては、図１に示すように、元竿杆１０、複数の竿杆２０，３０，４０の各後端縁を一致させた後端基準状態（基準ラインをＰで示す）で、各釣糸ガイド２５，３５，４５のリング部分２５ａ，３５ａ，４５ａが互いに軸方向で異なる位置となるように設定されている。すなわち、各竿杆の基端を揃えた状態では、装着されている釣糸ガイド、特にリング部分が干渉し合うことがないように、各釣糸ガイドは竿杆に装着、固定されている（図１の点線で示すように、全ての釣糸ガイドのリング部分は、軸方向にずれた状態となっている）。
【００１６】
上記した構成の釣竿１によれば、竿杆１０，２０，３０，４０の後端縁を水平面上に載置して各竿杆を垂直状態にすると、各竿杆に装着されている釣糸ガイドのリング部分が互いに軸方向で異なる位置（重ならない位置）になるため、収容時（釣り場移動時）等にガイド同士が干渉することはなく、径方向にコンパクトに纏めることができ、持ち運びし易くなる。また、各釣糸ガイドのリングが固定されるリング部分２５ａ，３５ａ，４５ａ同士が接触することがないので、釣糸ガイドの破損等を効果的に防止することができる。さらに、従来のように、保護具を用いる必要がないため、重量化したり、部品が紛失するようなこともない。
【００１７】
なお、上記した各竿杆に対して装着される釣糸ガイドの設置個数、各釣糸ガイドの間隔については、特に限定されることはないが、元竿杆に連結される中竿杆２０に固定される釣糸ガイド２５は、比較的大きいことから、元竿杆１０のグリップ１０Ｂに当て付く位置に装着しておくことが好ましい。すなわち、形状が大きい釣糸ガイド２５が柔軟性のあるグリップ１０ｂに当て付くことで、収容状態が安定し、破損等を効果的に防止することが可能となる。また、軸方向にずれるのは、各釣糸ガイドのリング部分だけではなく、フレームの露出している部分の範囲でずれていることが好ましい。
【００１８】
図３は、本発明に係る釣竿の第２の実施形態を示す図である。
本実施形態では、各釣糸ガイド２５，３５，４５をそれぞれの竿杆に固定する固定部５０についても、互いに軸方向で異なる位置となるように構成されている。
【００１９】
図２に示したように、固定部５０は、固定糸５１を脚部に巻き付けたり、固定テープを巻き付けるなど、径方向に膨出する部分となることから、リング部分、或いはフレームの露出部分のみならず、固定部の領域についても、互いに軸方向で異なる位置となるようにすることで、収容時（釣り場移動時）等に釣糸ガイドに加え、固定部同士についても相互に干渉することがなく、径方向にコンパクトに纏めることができ、持ち運びし易くなる。
【００２０】
以上、本発明の実施形態について説明したが、本発明は、上記した実施形態に限定されることはなく、種々変形することが可能である。
本発明では、竿杆の本数は、元竿杆以外に複数の竿杆を備えた構成（全部で３本以上の竿杆を備えた構成）であれば良く、竿杆同士の継構造については限定されることはない。このため、本発明は、並継式の釣竿に適用しても良い。また、各竿杆の構成については、部分的に中実構造にする等、適宜変形することが可能である。
【符号の説明】
【００２１】
１  釣竿
１０  元竿杆
２０，３０  中竿
４０  穂先竿杆
２５，３５，４５  釣糸ガイド
２５ａ，３５ａ，４５ａ  リング部分
５０  固定部
８０  インロー
【図１】
2020103227.tif 000003
【図２】
2020103227.tif 000004
【図３】
2020103227.tif 000005